(57)【要約】【課題】優れた防振効果を発揮することができると共に、小型化、省スペース化を達成することが可能なファンユニットの取付構造を提供する。【解決手段】ファンユニット２０と、ファンユニット２０が収納される筐体１０と、ファンユニット２０を支持してファンユニット２０を筐体１０に取付けるファンユニット取付部とを備え、ファンユニット取付部は、支持されたファンユニット２０の一方の端部よりも外側に延出する第１の取付片４２Ａと、ファンユニット２０の前記一方の端部と反対側の端部よりも外側に延出する第２の取付片４２Ｂとを有し、第１の取付片４２Ａ及び第２の取付片４２Ｂが筐体１０に固定されてなる。【選択図】図４
2013089897.tif 000002
【特許請求の範囲】
【請求項１】
ファンユニットと、
前記ファンユニットが収納される筐体と、
前記ファンユニットを支持して当該ファンユニットを当該筐体に取付けるファンユニット取付部と、
を備え、
前記ファンユニット取付部は、支持されたファンユニットの一方の端部よりも外側に延出する第１の取付片と、当該ファンユニットの前記一方の端部と反対側の端部よりも外側に延出する第２の取付片とを有し、前記第１の取付片及び前記第２の取付片が前記筐体に固定されてなるファンユニットの取付構造。
【請求項２】
前記第１の取付片及び前記第２の取付片は、前記筐体に弾性部材を介して固定されてなる請求項１記載のファンユニットの取付構造。
【請求項３】
前記ファンユニット取付部は、前記ファンユニットを前記筐体に離間した状態で取付ける請求項１記載のファンユニットの取付構造。
【請求項４】
前記ファンユニット取付部がトレイである請求項１記載のファンユニットの取付構造。
【請求項５】
前記トレイは、ファンユニットと所定の間隔をおいて配置されるトレイ本体を有し、当該トレイ本体に前記取付片が取付けられてなる請求項４記載のファンユニットの取付構造。
【請求項６】
前記ファンユニット取付部の少なくとも一部が制振性を有する請求項１記載のファンユニットの取付構造。
【請求項７】
前記弾性部材は、前記第１の取付片及び前記第２の取付片に配置される取付片側弾性部材と、前記筐体に配置され且つ前記取付片側弾性部材と係合する筐体側弾性部材とを備えてなる請求項２記載のファンユニットの取付構造。
【請求項８】
前記弾性部材は、前記筐体に配置されてなり、当該弾性部材には、前記第１の取付片の少なくとも一部及び前記第２の取付片の少なくとも一部と係合する係合部が形成されてなる請求項２記載のファンユニットの取付構造。
【発明の詳細な説明】
【技術分野】
【０００１】
本発明は、電子機器に搭載される冷却用ファンユニットの取付構造に関する。
【背景技術】
【０００２】
近年、電子機器の高密度実装の実現、冗長性の確保のために、複数の冷却用ファンをモジュール化したファンユニットが電子機器と共に実装されており、この電子機器を高密度化するため、ファンユニットを小型化、省スペース化することが求められている。また、ファンユニットは振動体であるファンを搭載するため、当該ファンにおいて発生する振動が電子機器の筺体に伝達され、当該電子機器に設置されたハードディスクドライブの性能低下を引き起こす要因となる場合があるため、その振動伝達を抑制することも求められている。
【０００３】
そこで、ファンユニットの場合、薄板状の弾性材料をファンとファンユニットケースとの間に介在させることにより、ファンユニットの外部に振動が伝達されることを抑制している。
【０００４】
また、弾性材料によって構成された取付け具をファンの四隅に配置することで、電子機器の筺体とファンとが直接接触することを回避させると共に、ファンから発生する振動を当該弾性材料に吸収させ、前記筐体への振動伝達を抑制している。（例えば、特許文献1及び２参照）。
【先行技術文献】
【特許文献】
【０００５】
【特許文献１】特開２００１−３１３４８３号公報
【特許文献２】特開２００５−５１０８５号公報
【発明の概要】
【発明が解決しようとする課題】
【０００６】
しかしながら、ファンとファンユニットケースとの間に弾性材料を介在させて当該ファンを支持する方法は、弾性材料が十分な厚みを備えている場合には、高い防振性能を期待できるが、小型化、省スペース化の要望のため、前記弾性材料に十分な厚みを保持させることは困難である。
【０００７】
また、弾性材料からなる取付け具をファンの四隅に配置する場合、ファンの位置決めのために、全６方向から弾性材料を押しつぶしてファンを筐体に支持するため、十分な防振効果を期待できない場合があった。
【０００８】
本発明は、このような事情に鑑みなされたものであり、優れた防振効果を発揮することができると共に、小型化、省スペース化を達成することが可能なファンユニットの取付構造を提供することを目的とする。
【課題を解決するための手段】
【０００９】
この目的を達成するため本発明は、ファンユニットと、前記ファンユニットが収納される筐体と、前記ファンユニットを支持して当該ファンユニットを当該筐体に取付けるファンユニット取付部と、を備え、前記ファンユニット取付部は、支持されたファンユニットの一方の端部よりも外側に延出する第１の取付片と、当該ファンユニットの前記一方の端部と反対側の端部よりも外側に延出する第２の取付片とを有し、前記第１の取付片及び前記第２の取付片が前記筐体に固定されてなるファンユニットの取付構造を提供するものである。
【発明の効果】
【００１０】
本発明によれば、優れた防振効果を発揮することができると共に、小型化、省スペース化を達成することが可能なファンユニットの取付構造を提供することができる。
【図面の簡単な説明】
【００１１】
【図１】本発明の実施形態に係るファン装置を示す斜視図である。
【図２】図１に示すファン装置から上部カバーを取り除いた状態を示す分解斜視図である。
【図３】図２に示すファン装置の一部を組み立てた状態を示す分解斜視図である。
【図４】図２に示すファン装置を組み立てた状態を示す斜視図である。
【図５】本発明の実施形態に係るファン装置の通風方向に沿った断面図である。
【図６】本発明の他の実施形態に係るファン装置の通風方向に沿った断面図である。
【図７】本発明の他の実施形態に係るファン装置の分解斜視図である。
【図８】本発明の他の実施形態に係るファン装置の一部を組み立てた状態を示す分解斜視図である。
【図９】図８に示すファン装置を組み立てた状態を示す斜視図である。
【図１０】本発明の他の実施形態に係るファン装置の分解斜視図である。
【発明を実施するための形態】
【００１２】
次に、本発明の実施形態に係るファンユニットの取付構造について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００１３】
図１は、本発明の実施形態に係るファン装置を示す斜視図、図２は、図１に示すファン装置から上部カバーを取り除いた状態を示す分解斜視図、図３は、図２に示すファン装置の一部を組み立てた状態を示す分解斜視図、図４は、図２に示すファン装置を組み立てた状態を示す斜視図、図５は、図１に示すファン装置の通風方向に沿った断面図である。なお、前記各図では、説明を判り易くするため、各部材の厚さやサイズ、拡大・縮小率等は、実際のものとは一致させずに記載した。
【００１４】
図１〜図５に示すように、本実施形態に係るファン装置１は、筐体１０と、筐体１０に収納されるファンユニット２０と、筐体１０に収納され、ファンユニット２０を支持するトレイ４０と、筐体１０に収納され、トレイ４０と筐体１０の底板１１との間に配設される弾性部材５０Ａ及び５０Ｂとを備えている。
【００１５】
筐体１０は、例えば、薄板の金属材料で形成され、略長方形の底板１１と、底板１１の各々の長辺に立設された側壁１２及び１３と、底板１１に対し略平行に配置された状態で側壁１２及び１３の上部に取付けられる天板１４と、底板１１の一方の短辺に立設され、後に詳述するファンユニット２０により生じた冷却風の入口となる複数の開口１７が形成された入口壁１５と、底板１１の他方の短辺に立設され、開口１７から筐体１０内に進入した冷却風を外部に排出する複数の開口１８が形成された排出壁１６とを備えている。なお、側壁１２及び１３の高さは、天板１４を配置した際に、ファンユニット２０と天板１４との間に所定の空間Ｃ３（図５参照）が形成されるように設定されている。
【００１６】
ファンユニット２０は、ファン２０Ａ及び２０Ｂと、ファン２０Ａとファン２０Ｂとの間に配設された整流格子３０とを備えている。ファン２０Ａ及び２０Ｂは冷却風を生じさせ、ファン装置１と共に搭載される電子機器等（図示せず）の冷却を行う。整流格子３０は、ファン２０Ａ及び２０Ｂの性能を向上させるためのものであり、ファン２０Ａ及び２０Ｂから生じる冷却風の進行方向（以下、この方向を「通風方向」という）上に位置している。なお、ファン２０Ａ、整流格子３０、ファン２０Ｂは、例えば、螺子やボルト、あるいは他の連結部材等により互いに固定しておくことが望ましい。
【００１７】
トレイ４０は、ファンユニット２０と隙間Ｃ１（図５参照）をおいて、これらの下方に配置されるトレイ本体４１と、トレイ本体４１の通風方向両側に各々設けられ、トレイ４０を筐体１０に取付ける取付片４２Ａ及び４２Ｂと、取付片４２Ａの両側に各々設けられ、ファン２０Ａをトレイ４０に固定する固定片４３Ａ及び４４Ａと、ファン２０Ｂをトレイ４０に固定する固定片４３Ｂ及び４４Ｂとを備えている。なお、本実施形態では、トレイ４０を制振効果（制振性）を有する部材、例えば、制振鋼板や樹脂等によって形成した。
【００１８】
取付片４２Ａ及び４２Ｂは、トレイ本体４１の通風方向両側から各々立設する側壁４５Ａ及び４５Ｂと、側壁４５Ａ及び４５Ｂの各々の上部からトレイ４０の外側に向けて略水平方向に各々延出する延出部４６Ａ及び４６Ｂとを備えている。即ち、取付片４２Ａ及び４２Ｂは、側面視で（側壁１２及び１３側から見て）略Ｌ字状を呈している。なお、本実施形態では、側壁４５Ａ及び４５Ｂ、延出部４６Ａ及び４６Ｂは、曲げ加工によって形成されている。
【００１９】
固定片４３Ａ及び４４Ａには、螺子穴４７Ａ及び４８Ａが各々形成されており、これらの螺子穴４７Ａ及び４８Ａは、ファン２０Ａの螺子穴２１Ａ及び２２Ａと各々連通するようになっている。また、固定片４３Ｂ及び４４Ｂには、螺子穴４７Ｂ及び４８Ｂが各々形成されており、これらの螺子穴４７Ｂ及び４８Ｂは、ファン２０Ｂの螺子穴（螺子穴２１Ａ及び２２Ａと同様の螺子穴：図示せず）と各々連通するようになっている。これらの螺子穴４７Ａ、４７Ｂ、４８Ａ、４８Ｂは、ファンユニット２０をトレイ４０に取付けた際に、トレイ本体４１とファンユニット２０との間に隙間Ｃ１が形成される位置に開口されている。そして、螺子穴４７Ａ及び２１Ａ、螺子穴４８Ａ及び２２Ａに雄ねじ（図示せず）を各々螺合させることによって、ファン２０Ａがトレイ４０に固定される。同様に、螺子穴４７Ｂ及びファン２０Ｂの螺子穴（図示せず）、螺子穴４８Ｂ及びファン２０Ｂの螺子穴（図示せず）、に雄ねじ（図示せず）を各々螺合させることによって、ファン２０Ｂがトレイ４０に固定される。このようにして、一体となったファン２０Ａ及び２０Ｂ及び整流格子３０（ファンユニット２０）が、トレイ本体４１と所定の隙間Ｃ１（図５参照）をおいてトレイ４０に剛に固定され一体化される。
【００２０】
弾性部材５０Ａ及び５０Ｂ（図５参照）は、振動吸収性のある樹脂やゴム等によって形成されており、取付片４２Ａ及び４２Ｂに各々取付けられる取付片側弾性部材５１Ａ及び５１Ｂと、筐体１０の底板１１に配置され、取付片側弾性部材５１Ａ及び５１Ｂと各々係合する筐体側弾性部材５２Ａ及び５２Ｂとを備えている。なお、本実施形態では、取付片側弾性部材５１Ａは、側壁４５Ａと延出部４６Ａとにより形成される略Ｌ字状の内側に配置され、延出部４６Ａの下面と側壁４５Ａの外面に接着されている。また、筐体側弾性部材５２Ａ及び５２Ｂは、底板１１に各々接着されている。
【００２１】
筐体側弾性部材５２Ａ及び５２Ｂには、取付片側弾性部材５１Ａ及び５１Ｂが各々挿入される凹部５３Ａ及び５３Ｂが形成されている。そして、凹部５３Ａ及び５３Ｂに取付片側弾性部材５１Ａ及び５１Ｂが各々挿入されることで、取付片側弾性部材５１Ａ及び５１Ｂが筐体側弾性部材５２Ａ及び５２Ｂと各々係合し、トレイ４０が筐体１０に取付けられる。なお、本実施形態では、筐体側弾性部材５２Ａ及び５２Ｂは、取付片側弾性部材５１Ａ及び５１Ｂと筐体側弾性部材５２Ａ及び５２Ｂとを各々係合した際に、トレイ本体４１と底板１１との間に所定の隙間Ｃ２（図５参照）が形成されるよう、底板１１の表面と、凹部５３Ａ及び５３Ｂの底面までの高さ（厚さ）が設定されている。
【００２２】
この構成を備えたファンユニット２０は、固定片４３Ａ、４３Ｂ、４４Ａ、４４Ｂと接触する部位意外がトレイ４０や筐体１０と直接接触していないため、ファンユニット２０から生じた振動が筐体１０に伝達されることを防止することができる。また、トレイ４０が制振性を有する部材から形成されているため、振動伝達の抑制効果をさらに向上させることができる。そしてまた、トレイ４０と筐体１０が弾性部材５０Ａ及び５０Ｂを介して接触しているため、前記振動を弾性部材５０Ａ及び５０Ｂに吸収させることができ、より一層防振効果を向上させることができる。
【００２３】
また、トレイ４０を筐体１０に取付ける取付片４２Ａがファンユニット２０の通風方向一方の端部よりも外側に延出し、取付片４２Ｂがファンユニット２０の通風方向他方の端部よりも外側に延出しているため、弾性部材５０Ａ及び５０Ｂの厚さが、ファンユニット２０の高さ方向の配設スペースに影響を及ぼすことがない。したがって、前記弾性材料に十分な厚みを保持させることができ、優れた防振効果を得ることができる。
【００２４】
そしてまた、弾性部材５０Ａ及び５０Ｂは、ファンユニット２０を支持したトレイ４０からの圧力がかかる方向（面）が４方向（４面）であるため、全６方向から圧力がかかる（全６方向から弾性材料が押し潰される）場合に比べ、優れた防振効果を得ることができる。
【００２５】
なお、本実施形態では、ファンユニット２０を支持して筐体１０に取付けるファンユニット取付部として、ファンユニット２０の下面全体にわたって敷設されるトレイ本体４１を備えたトレイ４０を使用した場合について説明したが、これに限らず、ファンユニット取付部は、例えば、図６に示すように、ファン２０Ａの底面の通風方向略中央付近まで延出した取付部本体１４１Ａと、取付部本体１４１Ａの一端（図６でいう左側端）に設けられた取付片４２Ａとを有する第１のファンユニット取付部１４０Ａ、及び、ファン２０Ｂの底面の通風方向略中央付近まで延出した取付部本体１４１Ｂと、取付部本体１４１Ｂの一端（図６でいう右側端）に設けられた取付片４２Ｂとを有する第２のファンユニット取付部１４０Ｂを備えていてもよい。なお、図６では、本実施形態に係るファン装置１と同様の部材には同一の符号を付してある。
【００２６】
また、本実施形態では、トレイ４０の通風方向両側に取付片４２Ａ及び４２Ｂを設けた場合について説明したが、これに限らず、例えば、図７に示すように、トレイ４０の通風方向に対し垂直な方向の両側に取付片１４２Ｃ及び１４２Ｄを設け、筐体１０の底板１１に取付片１４２Ｃ及び１４２Ｄが取付けられる弾性部材１５２Ｃ及び１５２Ｄを設けてもよい。具体的には、取付片１４２Ｃ及び１４２Ｄは、トレイ本体４１の通風方向に対し垂直な方向の両側から各々立設する側壁１４５Ｃ及び１４５Ｄと、側壁１４５Ｃ及び１４５Ｄの各々の上部からトレイ４０の外側に向けて略水平方向に各々延出する延出部１４６Ｃ及び１４６Ｄとを備えている。即ち、取付片１４２Ｃ及び１４２Ｄは、トレイ本体４１に対する設置位置及びサイズは取付片４２Ａ及び４２Ｂと異なるが、基本的には同様の略Ｌ字状を呈している。なお、本実施形態では、側壁１４５Ｃ及び１４５Ｄ、延出部１４６Ｃ及び１４６Ｄも同様に曲げ加工によって形成されている。なお、図７では、本実施形態に係るファン装置１と同様の部材には同一の符号を付してある。
【００２７】
このように、本発明では、筐体１０やファンユニット２０の形態に合わせてファンユニット取付部（本実施形態ではトレイ４０）の支持方向を任意に設定することが可能である。したがって、厚さの大きい弾性材料を配設しても省スペース化を達成することができる。また、ファン２０Ａ、整流格子３０、ファン２０Ｂを一体化することによって、振動体（本実施形態ではファン２０Ａ及び２０Ｂ）の総質量を増加させることが可能となり、厚さの大きい弾性材料を利用して支持することとあいまって、発生する振動がファンユニット２０の外部に伝達されることを抑制する効果を効率よく向上させることができる。さらに、トレイ４０自体、あるいは、トレイ４０に他の部材を付加し、振動体の全体の質量を増加させることによって、ファンユニット２０の外部への振動伝達の抑制効果をさらに向上させることも考えられる。
【００２８】
また、他の実施形態として、図８及び図９に示すように、トレイ本体４１の通風方向両側先端を本実施形態に係るトレイ本体４１よりもさらに延出させ、取付片４２Ａの代わりに取付片２４６Ａ及び２４７Ａを配設し、取付片４２Ｂの代わりに取付片２４６Ａ及び２４７Ａと同様の取付片（２４７Ｂのみ図示する）を配設し、弾性部材５０Ａの代わりに弾性部材２５１Ａ及び２５２Ａを配設し、弾性部材５０Ｂの代わりに弾性部材２５１Ａ及び２５２Ａと同様の弾性部材（２５２Ｂのみ図示する）を配設してもよい。
【００２９】
具体的には、図８及び図９に示すように、取付片２４６Ａ及び２４７Ａは、トレイ本体４１の冷却風入口側先端の両側から立設され、その先端が冷却風入口側に向けてさらに延出した形状を備えている。なお、これらの取付片２４６Ａ及び２４７Ａは、トレイ４０を形成する板材を切り起こすことによって形成した。
【００３０】
弾性部材２５１Ａ及び２５２Ａは、振動吸収性のある樹脂やゴム等によって形成されており、図８及び図９に示すように、底板１１の、取付片２４６Ａ及び２４７Ａと対向する位置に各々配設されている。これらの弾性部材２５１Ａ及び２５２Ａには、取付片２４６Ａ及び２４７Ａが各々挿入されるスリット２５３Ａ及び２５４Ａが各々形成されている。そして、トレイ４０の取付片２４６Ａ及び２４７Ａを弾性部材２５１Ａ及び２５２Ａのスリット２５３Ａ及び２５４Ａに各々挿入して両者を係合させることで、ファンユニット２０を支持したトレイ４０が筐体１０に取付けられる。
【００３１】
スリット２５３Ａ及び２５４Ａの上下方向の深さは、取付片２４６Ａ及び２４７Ａとスリット２５３Ａ及び２５４Ａが各々係合した際に、トレイ本体４１と底板１１との間に所定の隙間（図５に記載した隙間Ｃ２と同様の隙間）が形成されるよう設定されている。ここでは、これらのスリット２５３Ａ及び２５４Ａは、弾性部材２５１Ａ及び２５２Ａの上下方向及び通風方向にその厚みの半分程度の深さで形成されている。なお、図８及び図９では、本実施形態に係るファン装置１と同様の部材には同一の符号を付してある。
【００３２】
この構成のファン装置も、前述したファン装置と同様に、取付片２４６Ａと弾性部材２５１Ａとが接触する部位意外、取付片２４７Ａと弾性部材２５２Ａとが接触する部位意外、これらとは反対側に配設されている取付片と弾性部材とが接触する部位意外がトレイ４０や筐体１０と直接接触していないため、ファンユニット２０から生じた振動が筐体１０に伝達されることを防止することができる。
【００３３】
さらにまた、前述した実施形態では、ファン２０Ａ、整流格子３０、ファン２０Ｂを直列に配置した構成を有するファンユニット２０について説明したが、これに限らず、ファンユニット２０のファン設置数は、１つであってもよく、３つ以上であってもよい。また、ファンと整流格子は並列に配置してもよい。そしてまた、例えば、図１０に示すように、ファンユニット２０を１つのファン２０Ａから構成してもよい。この構成の場合、トレイ本体４１の長さをファン２０Ａの長さに適合するように設定すればよい。なお、図１０では、本実施形態に係るファン装置１と同様の部材には同一の符号を付してある。
【００３４】
また、ファンユニット２０を１つのファン２０Ａから構成した場合、あるいは、ファンの設置数を変更した場合であっても、図６〜図９に記載した構造のファンユニット取付部及び弾性部材を適用することもできる。
【符号の説明】
【００３５】
１…ファン装置、１０…筐体、２０…ファンユニット、２０Ａ、２０Ｂ…ファン、３０…整流格子、４０…トレイ、４１…トレイ本体、４２Ａ、４２Ｂ…取付片、５０Ａ、５０Ｂ…弾性部材、１４０Ａ、１４０Ｂ…ファンユニット取付部、
【図１】
2013089897.tif 000003
【図２】
2013089897.tif 000004
【図３】
2013089897.tif 000005
【図４】
2013089897.tif 000006
【図５】
2013089897.tif 000007
【図６】
2013089897.tif 000008
【図７】
2013089897.tif 000009
【図８】
2013089897.tif 000010
【図９】
2013089897.tif 000011
【図１０】
2013089897.tif 000012